(57)【特許請求の範囲】
【請求項１】
各種のデータ及び指示を入力する操作部と、氏名及び電話番号を格納するメモリ部と、前記操作部からの指示により前記メモリ部との間で前記データの登録及び検索を行う制御部と、各種データ及び入力操作を表示する表示部とを具備してなる電話帳装置において、
前記メモリ部に、電話番号＋アイコン情報の領域を割り付けておき、前記メモリ部に、氏名、該氏名に対応する１又は複数の電話番号、該電話番号のそれぞれに対応するカテゴリ毎に定められたアイコン（絵文字）を入力し、前記氏名と前記電話番号とアイコン情報とを関連づけして格納するとともに、前記制御部に、前記アイコンを選択して所望のカテゴリから電話番号を検索するアイコン検索モードを設けたことを特徴とする電話帳装置。
【発明の詳細な説明】
【０００１】
【発明の属する技術分野】
本発明は、携帯電話機等の電話機に装備される電話帳装置に係り、特に、電話番号及びその情報を一対のデータとして格納できる電話帳装置に関する。
【０００２】
【従来の技術】
従来のこの種装置としては、特開平１０−１６４２１０号公報に記載されたものがある。
この従来技術では、個人の氏名と該氏名に対応する複数の電話番号とを対応づけた電話帳データを格納するメモリと、指示を入力する操作部と、前記指示に従って前記メモリから電話帳データを検索する制御部とを備える携帯電話機であって、前記制御部は、前記操作部から電話帳データを検索する指示の入力を受けると指示された氏名を前記メモリから検索し、前記氏名が検索されると、当該氏名に対応づけて格納されている複数の電話番号を順次発呼する制御部から構成されている。
【０００３】
このような構成を有する従来の装置は次のように動作する。
すなわち、メモリが電話帳データとして個人の氏名に対応づけて複数の電話番号を格納し、制御部が操作部から入力される指示に従ってメモリから電話帳データを検索し、指示された氏名に対応づけて格納されている複数の電話番号を順次表示する。
【０００４】
【発明が解決しようとする課題】
しかしながら、上述した従来技術によれば、次のような問題点があった。
すなわち、一つの氏名に対して複数の電話番号が登録されていて、ある人の２番目の電話番号を参照したいような場合には、その電話番号を容易に検索、参照できない点である。その理由は、電話番号の一つ一つに対しては、メモリ番号のような印がなかったため、まず最初に氏名を検索してから、その氏名に対する第ｎ番目の電話番号として選択しなければならなかったからである。
【０００５】
本発明は、上記の事情に鑑みてなされたもので、電話帳装置における操作性を向上させることを目的としている。
【０００６】
【課題を解決するための手段】
本発明は、以下の手段を採用することにより上記課題を解決した。
請求項１に記載の電話帳装置は、各種のデータ及び指示を入力する操作部と、氏名及び電話番号を格納するメモリ部と、前記操作部からの指示により前記メモリ部との間で前記データの登録及び検索を行う制御部と、各種データ及び入力操作を表示する表示部とを具備してなる電話帳装置において、前記メモリ部に、電話番号＋アイコン情報の領域を割り付けておき、前記メモリ部に、氏名、該氏名に対応する１又は複数の電話番号、該電話番号のそれぞれに対応するカテゴリ毎に定められたアイコン（絵文字）を入力し、前記氏名と前記電話番号とアイコン情報とを関連づけして格納するとともに、前記制御部に、前記アイコンを選択して所望のカテゴリから電話番号を検索するアイコン検索モードを設けたことを特徴とするものである。
【０００７】
このような電話帳装置によれば、電話番号＋アイコン情報の領域を割り付けたメモリ部に、氏名、該氏名に対応する１又は複数の電話番号、該電話番号のそれぞれに対応するカテゴリ毎に定められたアイコン（絵文字）を入力し、前記氏名と前記電話番号とアイコン情報とを関連づけして格納するように構成したので、電話番号＋アイコン情報の領域には電話番号とアイコン情報とが各々一対で格納されるため、電話番号とアイコンとを対にしたカテゴリ分類が可能になる。そして、アイコン検索モードを選択することにより、一つの氏名に対して１又は複数登録されている電話番号＋アイコン情報の中から目的のカテゴリに属するアイコンを選択し、アイコンと対をなす電話番号データを抽出して順次表示させるので、カテゴリをベースとして必要な電話番号を速やかに検索することが可能になる。
【００１０】
【発明の実施の形態】
以下、本発明に係る電話帳装置の一実施形態を図面に基づいて説明する。
図１は、電話帳装置の構成を示すブロック図であって、図中の符号１は操作部、２は制御部、３はメモリ部、４は表示部である。
【００１１】
操作部１は、氏名、電話番号及びアイコンよりなる電話帳データの入力や登録されている電話番号の検索など各種操作指示を行う機能を有する部分で、複数配列されたボタンスイッチ（図示省略）などで構成されている。
制御部２は、操作部１から入力された指示によって、メモリ部３に電話帳データを登録したり、メモリ部３に登録されている電話帳データを検索したり、あるいは電話帳データ及び入力操作の内容を表示部４に表示して使用者に示すなど、予め格納してある操作プログラムに基づき各種入力指示に応じた制御を行う部分である。
メモリ部３は、操作部１から入力された氏名、電話番号及びアイコンよりなる電話帳データを格納して記憶する部分であり、通常不揮発メモリが用いられる。電話番号は、１つの氏名に対して１又は複数記憶することができる。また、各電話番号は、自宅、勤務先、携帯電話などのカテゴリ毎に定めたアイコンをセットで記憶することができる。
表示部４は、制御部２から送られてくる操作部１の操作内容、すなわちデータ入力操作の内容や検索操作の内容及び検索結果などをＬＣＤ表示器などに表示して、使用者に示す機能を有する部分である。
【００１２】
このように本発明の電話帳装置では、電話帳（メモリ部３）への電話番号登録時に予めプログラム上に用意する数個のアイコンを選択させるプログラムを制御部２に格納しておき、該プログラムを実行するために、メモリ部３に電話番号＋アイコン情報の領域を割り付けておく。
また、制御部２には、電話帳検索時の検索方法の一つとしてアイコン検索モードのプログラムを用意し、登録時の数個のアイコンから目的のものを選択させて検索の対象としている。
なお、従来の氏名や電話番号による検索モードが設けられているのは勿論である。
【００１３】
すなわち、本発明の電話帳装置においては、その登録プログラムが実行されると、不揮発メモリよりなるメモリ部３には電話番号とアイコンが各々一対で格納されることになる。
そして、電話帳検索時は、図２に示すように、検索対象として選択したアイコンが付加されている電話番号を抽出し、これを電話機や携帯電話機などのＬＣＤ表示器に表示する。
【００１４】
次に、図３のフローチャートを参照して本実施例の全体の動作について説明する。
電話帳登録時は、名前→読み仮名→電話番号の順に入力していき、このデータにカテゴリを付けるべく、あらかじめ登録プログラムで用意している数個のアイコンから、使用者に好みの用途に応じたアイコンを選択させる電話帳登録手順を用意しておく。この電話帳登録手順は、制御部２に操作プログラムのひとつとして記憶されている。こうして入力された各データは、読み仮名を含む名前、電話番号及びアイコンがワンセットの関連づけられた電話帳データ情報としてメモリ部３に格納される。
【００１５】
次に電話帳検索参照時に、名前、電話番号の従来よりある検索方法に加えて、アイコン検索方法のメニューを用意する。
使用者にどの検索方法を実行するかを選択させ、アイコン検索モードで検索することが決定した後は、電話帳登録時に用意したものと同じ数個のアイコンを表示部４のＬＣＤ表示器上に表示して、使用者に目的のカテゴリに対応するアイコンを選択させる。使用者の検索実行操作により、制御部２に格納された検索プログラムは、使用者の選択したアイコンが付加されている電話番号データ、すなわちアイコンと対をなす電話番号データのみをメモリ部３から抽出して、順次にＬＣＤ表示器に表示する。
従って使用者は、電話帳装置に記憶されている電話帳データを検索する際、目的の電話番号が所属するカテゴリを選択することで、目的の電話番号を速やかに検索することが可能になるので、電話帳装置としての操作性が向上する。
【００１６】
【発明の効果】
上述した本発明によれば、以下のような効果を奏する。
第１の効果は、電話帳に登録する複数の電話番号をアイコンと対応させることで、一般の電話機の電話番号、携帯電話機の電話番号、会社の電話番号などのように、カテゴリ毎に分類することが可能になる。
第２の効果は、多くの電話帳データから目的とする電話帳データを検索して参照する場合の手段として、上記のようなカテゴリをベースに検索する方法が可能となる。これが可能となる理由は、１件分の電話帳データとして、名前、読み仮名、電話番号とセットにして関連づけしたカテゴリを示すアイコンを格納できるからである。
【図面の簡単な説明】
【図１】本発明に係る電話帳装置の一実施形態を示すブロック図である。
【図２】本発明における電話番号及びアイコンの表示例を示す図である。
【図３】入力操作の手順を示すフローチャートである。
【符号の説明】
１    操作部
２    制御部
３    メモリ部
４    表示部
【図１】
0003544482.tif 000002
【図２】
0003544482.tif 000003
【図３】
0003544482.tif 000004